(57)【要約】【課題】ユーザが原稿台にセットしている画像のサイズを意識せず、長尺原稿を送信でき、かつ、ネットワーク時は送信画像データを正しい向きに回転して送信でき、また、使用メモリ量を少なく実現できる画像通信装置の提供。【解決手段】ＦＡＸ送信、ネットワーク送信等、多種のプロトコルで送信が可能な画像通信装置において、ＦＡＸ送信時は長尺原稿を長くよみとり、回転せずに送信し、ネットワーク送信時は、定型の最大サイズまで長尺原稿を読み取り、それ以上の原稿は読み取らないようにし、必ず画像を回転して送信するようにする。【選択図】図１
2007158580.tif 000002
【特許請求の範囲】
【請求項１】
読み取り部から原稿を画像データとして読み取り、
読み取った画像データを、ファクシミリ送信することができる機能、及び、
読み取った画像データをネットワークプロトコルによってネットワーク送信することができる機能を有する画像通信装置において、
副走査方向に長い、長尺原稿を前記読み取り部から読み取る場合に、
ファクシミリ送信する場合は、前記読み取り部から読み取った方向のまま送信し、
ネットワーク送信する場合は、前記読み取り部から副走査方向に求める長さ分まで読み取り、読み取った長さ分の画像の方向を９０度または２７０度回転してから送信することを特徴とする画像通信装置。
【請求項２】
前記読み取り部で読み取った画像を、ファクシミリ送信とネットワーク送信の同報送信を行う場合、
前記読み取り部で読み取った画像データの方向のままファクシミリ送信とネットワーク送信とを行うことを特徴とする請求項１記載の画像通信装置。
【発明の詳細な説明】
【技術分野】
【０００１】
本発明は画像通信装置に関し、特に、ファクシミリ送信とネットワーク送信とを行う画像通信装置における長尺原稿の取り扱いに関するものである。
【背景技術】
【０００２】
現在では、画像通信装置はＦＡＸ送信だけでなく、画像データをネットワークへ、電子メールの添付ファイルとして送信したりや画像ファイルをファイル転送プロトコルによって送信するといったネットワークプロトコルに従って送信できる機能を持ったマルチファンクション化が進んでいる。このようなマルチファンクション化は、比較的安価な画像通信装置にも進んできており、多種のプロトコルでの通信を低コストな構成で行えるようにする必要がある。
【０００３】
このような画像通信装置において、ＦＡＸ送信、ネットワーク送信では、副走査長が通常よりも長い、いわゆる長尺原稿の送信を可能としている（下記、特許文献１参照。）。
【０００４】
また、一方で回転送信という機能がある。この機能はユーザが原稿を置いた方向にファイルが作成されるように、画像の方向を９０度、２７０度回転させるものである（図２）。
【０００５】
通常、ＦＡＸ送信の画像は、受信側で紙データとして印刷される。従って、ユーザは画像データを紙として閲覧するため、容易に回転して見ることが可能である。そのため、送信画像が正しい向きでなくても、ユーザが閲覧時に紙を回して閲覧すれば良いので、送信原稿の向きはあまり問題ではない。
【０００６】
一方、ネットワーク送信において、受信側は、ＰＣなどのディスプレイ上で表示して閲覧する可能性が多くある。ディスプレイ上での表示は容易に回転できないため、送信時に適切な画像の方向に回転して送信する必要がある。従って、ネットワーク送信の画像は正しい向きに回転して送信することが望ましい。
【０００７】
しかし、この回転送信を長尺原稿に対して行った場合、回転後の画像の主走査方向の長さは非常に大きくなるため、画像形成を行う際に非常に大きなメモリが必要になる（図３）。
【０００８】
このような問題を回避するため、読み取り部が原稿を読み取る前に、長尺原稿でないことが確定する時のみ回転送信を行うことが考えられる。具体的には、読み取り部の原稿検知センサにより、読み取り前に、どのようなサイズの原稿が置かれているか判断し、原稿長が長尺でないと判断できる時のみ回転する。
【０００９】
しかし、このセンサも全ての紙サイズを判断できるほど多く設置するようにすれば、コストがかかってしまうといった問題が生じる。
【００１０】
また、もうひとつの回避策として、長尺原稿を回転しないで一旦、本体メモリに保存し、その後で画像の長さをチェックして、長尺原稿でなければ回転するという手段も考えられる。しかし、この手法であると、この格納後の回転処理用に大きな処理メモリが必要となるため、コストアップの要因となってしまう。
【特許文献１】特開２００５−２４４６１６号公報
【発明の開示】
【発明が解決しようとする課題】
【００１１】
本発明は、上述の問題点に着目してなされたものであって、ＦＡＸ送信、ネットワーク送信等、多種のプロトコルで送信が可能な画像通信装置において、ユーザが原稿台にセットしている画像のサイズを意識せず、長尺原稿を送信でき、かつ、ネットワーク送信時は送信画像データを正しい向きに回転して送信でき、また、使用メモリ量を少なくすることのできる画像通信装置を提供するものである。
【課題を解決するための手段】
【００１２】
上記の問題を解決するために、本発明の画像通信装置は、
読み取り部から原稿を画像データとして読み取り、読み取った画像データを、ファクシミリ送信することができる機能及び読み取った画像データをネットワークプロトコルによってネットワーク送信することができる機能を有する画像通信装置であって、副走査方向に長い、長尺原稿を前記読み取り部から読み取る場合に、ファクシミリ送信する場合は、前記読み取り部から読み取った方向のまま送信し、ネットワーク送信する場合は、前記読み取り部から副走査方向に求める長さ分まで読み取り、読み取った長さ分の画像の方向を９０度または２７０度回転してから送信する。
【発明の効果】
【００１３】
本発明によれば、ＦＡＸ送信、ネットワーク送信等、多種のプロトコルで送信が可能な画像通信装置において、ＦＡＸ送信時は長尺原稿を長く読み取り、回転せずに送信し、ネットワーク送信時は、定型の最大サイズまで長尺原稿を読み取り、それ以上の原稿は読み取らないようにし、必ず画像を回転して送信するようにする。
【００１４】
これにより、ユーザが原稿台にセットしている画像のサイズを意識せず、長尺原稿を送信でき、かつ、ネットワーク送信時は送信画像データを正しい向きに回転して送信でき、また、使用メモリ量を少なく実現できる。
【発明を実施するための最良の形態】
【００１５】
本発明の手順を画像通信装置にマルチファンクション機を例にあげて説明する。
【００１６】
図１は、本発明における通信装置のハードウエア構成の概略図、図２は、回転送信の説明を示した概念図、図３は、長尺画像を回転した時の問題点を示した概念図、図４は、本発明におけるの回転送信時の説明を示した概念図、図５は、本発明における長尺画像の回転送信を手順を示したフロー図である。
【００１７】
図１において、
ＣＰＵ１−１はシステムの制御部であり、装置全体を制御する。
ＲＯＭ１−２はＣＰＵの制御プログラムを格納するためのものである。
ＳＲＡＭ１−３はオペレータが登録した設定値や装置の管理データ等や各種ワーク用バッファ等を格納するものである。
ＤＲＡＭ１−４はプログラム制御変数等を格納するためのものである。また画像データ、テキストデータを蓄積するためのものである。
読み取り部１−５は画像データを読み取り、バイナリデータに変換する装置である。
記録部１−６は画像データを、記録紙に出力する装置である。
ファクシミリ通信制御部１−７は電話回線とのインターフェースである。
操作部１−８はオペレータによる登録を行う装置である。
符号処理部（ＣＯＤＥＣ）１−９は通信制御装置で扱う画像データの符号化復号化処理を行う。この処理部で、テキストデータは、ソフトウエアにより画像データに変換される。また、ＪＢＩＧ符号はこの処理部でハードウエアにより復号化される。
ネットワーク通信制御部１−１０は、ネットワーク回線へのＩ／Ｆを行う。インターネットＦＡＸ、Ｅｍａｉｌデータの送受信に使われる。
外部メモリ装置１−１１は、取り外しの可能なメモリである。
【００１８】
図２は、従来の回転送信の必要性を説明した図である。原稿の方向とスキャナの位置から、ユーザから正しく見えるように原稿を配置すると、読み込まれる画像データの向きは、ユーザの見える方向と違っていることを示している。そのため、正しい向きに修正するために、画像の回転処理が必要である。
【００１９】
図３は、長尺原稿を回転送信する時に発生する問題点を図示したものである。長尺原稿は、定型の画像サイズより長い長さの副走査長を持っている画像であるので、回転すると主走査方向に非常に大きな画像が作成されてしまうことを説明している。このような大きな主走査の画像に対応するには、画像処理用の、特に符号化復号化のバッファを大きく獲得しておく必要がある。非常に使用頻度の少ないサイズの画像に対して、大きな処理バッファを獲得することは非常に無駄が多い。
【００２０】
図４は、本発明の回転送信について示したものである。原稿台の主走査方向の最大読み取りサイズがＡ３であるなら、副走査の最大もＡ３とし、回転時に最大Ａ３の長手方向の画像が扱えるようにしておくことを説明している。
【００２１】
ＦＡＸ送信、ネットワーク送信等、多種のプロトコルで送信が可能な画像通信装置において、
ＦＡＸ送信時は、副走査方向の読み取り限界長を長く設定し、できる限り長い長尺原稿も送信できるようにする。しかし、使用頻度の高いＡ４、ＬＴＲ長手方向を主走査とした方向のみ回転送信し、その他の送信画像の回転は行わないようにする。
ネットワーク送信時は、副走査方向の読み取り限界長を、読み取り画像回転後の主走査長の最大長に設定し、回転できない長さの副走査の長尺原稿は読み取らないようにする。
【００２２】
具体的には、原稿台がＡ３サイズまでの主走査の原稿を読み取れるものである時、回転送信すると、回転した画像は主走査がＡ３の長辺の長さになる。従って、画像メモリは、最大Ａ３の長辺の主走査の画像が扱えるように確保しておけば良い。しかし、読み取り時に、副走査の長さがＡ３のサイズをオーバーした場合、その場でその通信はエラー終了する（図４）。
【００２３】
また、ＦＡＸとネットワークの同報送信の場合、
ＦＡＸで読み取れるはずの長さ分読み込めるようにするため、ＦＡＸ読み取り限界長まで読み取る。ただし、ネットワーク送信で回転できない長さの可能性があるので、ネットワーク送信の画像の方は回転しない。これにより、回転は行わないが、ＦＡＸ、ネットワーク送信ともに、確実に送信は可能となる。
【００２４】
図５は、本発明における、長尺画像の回転送信のフローを示したものである。
【００２５】
始めに、操作部１−８から送信の指示が来る。まず、この送信先の判断を行う（６−１）。
【００２６】
ここで、送信先がＦＡＸまたはＦＡＸを含む同報送信である場合は、まず、読み取り前に原稿台のセンサから原稿サイズを検知する（６−２）。原稿サイズを検知したら、読み取りを開始する（６−３）。
【００２７】
スキャナ部は、画像を読み取りながら本体メモリに画像データを蓄積していくが、（６−２）ないし（６−４）での原稿検知の結果が、Ａ４，ＬＴＲの紙サイズで、長手方向が主走査となる方向の場合は、使用頻度が高く、また、原稿センサの検知のみで長尺でないことが必ず確定できるため、回転して画像を蓄積する（６−６）。
【００２８】
その他の紙サイズの場合は読み込んだ結果長尺である可能性があるため、回転処理は行わず、そのまま本体メモリに画像データを蓄積する（６−５）。そして、蓄積した画像データをＦＡＸ回線上に送信する。
【００２９】
一方で、操作部１−８からの送信指示がネットワーク送信の場合は、まず始めに、読み取り部に、読み取りの副走査長の限界長を、必ず回転処理ができる長さに設定し、それ以上の副走査長の原稿は読み込まれないように設定する（６−７）。そして、読み取りを開始する（６−８）。
【００３０】
読み取り中に、常に設定した最大副走査長を超えないか監視し（６−９）、読み取り中に副走査長が限界長を超えると、読み取り処理を中止し、その通信はエラー終了する。
【００３１】
ここで、限界副走査長を超えないで画像を読み取れた場合は、読み取った画像を回転処理し、本体メモリに蓄積する（６−６）。そして、その後蓄積した画像データをネットワーク上に送信する。
【図面の簡単な説明】
【００３２】
【図１】本発明における通信装置のハードウエア構成を示した図である。
【図２】回転送信の説明を示した概念図である。
【図３】長尺画像を回転した時の問題点を示した概念図である。
【図４】本発明における回転送信時の説明を示した概念図である。
【図５】本発明における長尺画像の回転送信を手順を示したフロー図である。
【符号の説明】
【００３３】
１−１    ＣＰＵ
１−２    ＲＯＭ
１−３    ＳＲＡＭ
１−４    ＤＲＡＭ
１−５    読み取り部
１−６    記録部
１−７    ファクシミリ通信制御部
１−８    操作部
１−９    符号処理部
１−１０  ネットワーク通信制御部
１−１１  外部メモリ装置
【図１】
2007158580.tif 000003
【図２】
2007158580.tif 000004
【図３】
2007158580.tif 000005
【図４】
2007158580.tif 000006
【図５】
2007158580.tif 000007